【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】
【請求項１】  通信システムにおいて、あるチャネルを同時に占有する２つまたはそれより多くのソースのアップリンク送信を区別する方法であって、
第１のアップリンク信号と第２のアップリンク信号が同一のチャネルを占有している状態にあるとき、通信デバイスが、第２のリモート・ユーザ端末機によって送信される第２のアップリンク信号に対するあるオフセットを使用して、第１のリモート・ユーザ端末機に第１のリモート・ユーザ端末機によって送信される第１のアップリンク信号を調整させるステップと、
前記通信デバイスが、前記オフセットに基づき、前記第１のアップリンク信号を前記第２のアップリンク信号と区別するステップと、
から構成されることを特徴とする方法。
【請求項２】  前記通信デバイスは、符号化されたメッセージを前記第１のリモート・ユーザ端末機に送信してオフセットを生じさせるステップさらに有することを特徴とする請求項１に記載の方法。
【請求項３】  前記通信デバイスは、タイミング信号内の符号化された前記メッセージを前記第１のリモート・ユーザ端末機に提供するステップをさらに有することを特徴とする請求項２に記載の方法。
【請求項４】  前記通信デバイスは、アダプティブ・アレイを有することを特徴とする請求項１に記載の方法。
【請求項５】  前記通信デバイスが、前記第１のアップリンク信号および前記第２のアップリンク信号を含む結合された信号を処理するステップと、
前記通信デバイスが、前記オフセットによって生じさせられる相関なしを結合された信号において判定するステップと、
前記通信デバイスが、相関なしに基づき、結合された信号から所望の信号を抽出して、前記第１のリモート・ユーザ端末機に関連している前記第１のアップリンク信号を識別するステップをさらに有することを特徴とする請求項１に記載の方法。
【請求項６】  前記通信デバイスが、前記第１のアップリンク信号および前記第２のアップリンク信号を含む結合された信号を処理するステップと、
前記通信デバイスが、結合された信号内の前記第１のアップリンク信号および前記第２のアップリンク信号のそれぞれの相対的な送信時刻を少なくとも１つの基準時刻と比較するステップと、
前記通信デバイスが、前記第１のアップリンク信号および前記第２のアップリンク信号のそれぞれの前記相対的な送信時刻を前記基準時刻と比較するステップに基づき、結合された信号から所望の信号を抽出するステップをさらに有することを特徴とする請求項１に記載の方法。
【請求項７】  前記オフセットは、前記第１のアップリンク信号と前記第２のアップリンク信号の間の時間遅延であることを特徴とする請求項１に記載の方法。
【請求項８】  前記オフセットは、前記第１のアップリンク信号と前記第２のアップリンク信号の間の周波数オフセットであることを特徴とする請求項１に記載の方法。
【請求項９】  前記通信デバイスが、前記通信デバイスによって前記第１のリモート・ユーザ端末機および前記第２のリモート・ユーザ端末機にそれぞれ送信される前記第１のダウンリンク信号および前記第２のダウンリンク信号のどちらかを調整することによってオフセットを生じさせるステップをさらに有することを特徴とする請求項１に記載の方法。
【請求項１０】  前記通信デバイスは、時間分割多元接続プロトコルに従って動作し、また前記第１のアップリンク信号および前記第２のアップリンク信号は前記チャネルであるタイム・スロット内で部分的に重なり合うことを特徴とする請求項１に記載の方法。
【請求項１１】  前記第１のアップリンク信号と前記第２のアップリンク信号が特定の搬送周波数チャネルに関する許容可能な偏差の範囲内にあるように、前記第１のアップリンク信号および前記第２のアップリンク信号は、通信のための特定の搬送周波数チャネルに関して部分的に重なり合うことを特徴とする請求項１に記載の方法。
【請求項１２】  前記通信デバイスが前記調整に基づいて、前記第２のリモート・ユーザ端末機に関連している前記第２のアップリンク信号を識別するステップをさらに有することを特徴とする請求項１に記載の方法。
【請求項１３】  ある送信チャネルを同時に占有する２つまたはそれより多くのリモート・ユーザ端末機のアップリンク送信を区別する装置であって、
第１のアップリンク信号および第２のアップリンク信号が送信チャネルを占有している場合、第１のリモート・ユーザ端末機が、第２のリモート・ユーザ端末機によって送信される第２のアップリンク信号に対するオフセットを用いて、第１のリモート・ユーザ端末機によって送信される第１のアップリンク信号を調整を行うようにさせる第１の手段と、
前記オフセットに基づいて前記第１のアップリンク信号と前記第２のアップリンク信号を区別する第２の手段と、
から構成されることを特徴とする装置。
【請求項１４】  前記第１の手段は、前記調整が行うための符号化されたメッセージを前記第１のリモート・ユーザ端末機に送信する手段を有することを特徴とする請求項１３に記載の装置。
【請求項１５】  前記第１の手段は、アダプティブ・アンテナ・アレイを有することを特徴とする請求項１３に記載の装置。
【請求項１６】  前記第２の手段は、
前記第１のアップリンク信号および前記第２のアップリンク信号を含む結合された信号を処理する手段と、
前記結合された信号の中の前記第１のアップリンク信号および前記第２のアップリンク信号のそれぞれの相対的な送信時刻を少なくとも１つの基準時刻と比較する手段と、
前記結合された信号の中の前記第１のアップリンク信号および前記第２のアップリンク信号のそれぞれの前記相対的な送信時刻と前記基準時刻の比較に基づき、前記結合された信号から所望の信号を抽出する手段とを有することを特徴とする請求項１３に記載の装置。
【請求項１７】  前記オフセットは、前記第１のアップリンク信号と前記第２のアップリンク信号の間の時間遅延であることを特徴とする請求項１３に記載の装置。
【請求項１８】  前記オフセットは、前記第１のアップリンク信号と前記第２のアップリンク信号の間の周波数偏移であることを特徴とする請求項１３に記載の装置。
【請求項１９】  前記第１の手段は、
前記第１のリモート・ユーザ端末機および前記第２のリモート・ユーザ端末機にそれぞれ関連する第１のダウンリンク信号と第２のダウンリンク信号のどちらかを調整する手段であって、前記第１のアップリンク信号および前記第２のアップリンク信号は、前記第１のダウンリンク信号と前記第２のダウンリンク信号の間の相対的なオフセットに応じた量だけオフセットされる手段を有することを特徴とする請求項１３に記載の装置。
【請求項２０】  前記通信デバイスは、時間分割多重プロトコルに従って動作し、また前記第１のアップリンク信号および前記第２のアップリンク信号は、チャネルであるタイム・スロットの中で部分的に重なり合うことを特徴とする請求項１３に記載の装置。
【請求項２１】  前記第１のアップリンク信号および前記第２のアップリンク信号のそれぞれが、前記搬送周波数チャネルに関する許容可能な周波数偏差の範囲内にあるように、前記第１のアップリンク信号および前記第２のアップリンク信号は、通信のための搬送周波数チャネルに関して部分的に重なり合うことを特徴とする請求項１３に記載の装置。
【請求項２２】  前記第２の手段は、前記オフセットに基づき、前記リモート・ユーザ端末機に関連している前記第１のアップリンク信号を識別する手段をさらに有することを特徴とする請求項１３に記載の装置。
【請求項２３】  送信チャネルを同時に占有する２つまたはそれより多くのリモート・ユーザ端末機のアップリンク送信を分離する装置であって、
第１のアップリンク信号および第２のアップリンク信号が送信チャネルを占有している場合、第１のリモート・ユーザ端末機が、第２のリモート・ユーザ端末機によって送信される第２のアップリンク信号に対するオフセットを利用して、第１のリモート・ユーザ端末機によって送信される第１のアップリンク信号を調整するようにする第１の手段と、
前記オフセットに基づいて前記第１のアップリンク信号と前記第２のアップリンク信号を分離する第２の手段と、
から構成されることを特徴とする装置。
【請求項２４】  前記第１の手段は、前記オフセットを生じさせるために、符号化されたメッセージを前記第１のリモート・ユーザ端末機に送信させる手段を有することを特徴とする請求項２３に記載の装置。
【請求項２５】  前記第１の手段は、アダプティブ・アンテナ・アレイを有することを特徴とする請求項２３に記載の装置。
【請求項２６】  前記第２の手段は、
前記第１のアップリンク信号および前記第２のアップリンク信号を含む結合された信号を処理する手段と、
前記結合された信号の中の前記第１のアップリンク信号および前記第２のアップリンク信号のそれぞれの相対的な送信時刻を少なくとも１つの基準時刻と比較する手段と、
前記結合された信号の中の前記第１のアップリンク信号および前記第２のアップリンク信号のそれぞれの前記相対的な送信時刻と前記基準時刻の比較に基づき、結合された信号から所望の信号を抽出する手段とを有することを特徴とする請求項２３に記載の装置。
【請求項２７】  前記オフセットは、前記第１のアップリンク信号と前記第２のアップリンク信号の間の時間遅延であることを特徴とする請求項２３に記載の装置。
【請求項２８】  前記オフセットは、前記第１のアップリンク信号と前記第２のアップリンク信号の間の周波数偏移であることを特徴とする請求項２３に記載の装置。
【請求項２９】  前記第１の手段は、
前記第１のリモート・ユーザ端末機および前記第２のリモート・ユーザ端末機にそれぞれ関連する前記第１のダウンリンク信号と前記第２のダウンリンク信号のどちらかを調整する手段であって、前記第１のアップリンク信号および前記第２のアップリンク信号が、前記第１のダウンリンク信号と前記第２のダウンリンク信号の間の相対的なオフセットに応じた量だけオフセットされる手段を有することを特徴とする請求項２３に記載の装置。
【請求項３０】  前記通信デバイスは、時間分割多元接続プロトコルに従って動作し、また前記第１のアップリンク信号および前記第２のアップリンク信号はチャネルであるタイム・スロットの中で部分的に重なり合うことを特徴とする請求項２３に記載の装置。
【請求項３１】  前記第１のアップリンク信号および前記第２のアップリンク信号のそれぞれが、搬送周波数チャネルに関する許容可能な周波数偏差の範囲内にあるように、前記第１のアップリンク信号および前記第２のアップリンク信号は通信のための搬送周波数チャネルに関して部分的に重なり合うことを特徴とする請求項２３に記載の装置。
【請求項３２】  前記第２の手段は、前記オフセットに基づき、前記リモート・ユーザ端末機に関連している前記第１のアップリンク信号を識別する手段をさらに有することを特徴とする請求項２３に記載の装置。